(57)【要約】  空気浄化用の浄化装置（１００）およびそれを備える空気浄化器であって、空気浄化用の浄化装置（１００）は、ハウジング（１）、浄化アセンブリ、入水管（４）およびファンアセンブリ（４）を備え、浄化アセンブリは、第１回転ドラム（２）および第１回転ディスク（３）を備え、入水管（４）の出水端（４２）は、第１回転ドラム（２）内に延び、ファンアセンブリ（５）は、ファン（５１）およびモーター（５２）を備え、ファン（５１）は、浄化アセンブリの下流に設けられて、空気を、浄化アセンブリを経由して吸気口（１１）から排気口（１２）に流れるように駆動する。
2021529930.tif 000002
【特許請求の範囲】
【請求項１】
空気浄化用の浄化装置であって、
吸気口および排気口を有するハウジングであって、前記ハウジング内に前記吸気口および前記排気口と連通するキャビティが規定されている、ハウジングと、
前記キャビティ内に回転可能に設けられ、且つ前記吸気口と前記排気口の間に配置される浄化アセンブリであって、前記浄化アセンブリは第１回転ドラムと第１回転ディスクとを備え、前記第１回転ドラムは、前記ハウジングの側壁から離れて設けられ、前記第１回転ドラムの側壁の周方向に回って第１メッシュが設けられ、前記第１回転ディスクは、前記第1回転ドラムの下流側に接続され、且つ、前記第１回転ディスクの半径方向において、前記第１回転ドラムと前記ハウジングの間の部分に第２メッシュが設けられる、浄化アセンブリと、
入水端と出水端とを含む入水管であって、前記入水端に、周方向に分布される複数の噴水孔が設けられ、前記出水端は、前記第１回転ドラム内に延在する、入水管と、
ファンとモーターとを備えるファンアセンブリであって、前記ファンは、前記浄化アセンブリの下流に設けられて、空気を、前記吸気口から、前記浄化アセンブリを経由して前記排気口に流れるように駆動し、前記モーターは、前記浄化アセンブリと前記ファンを回転させるために使用される、ファンアセンブリと、を備えることを特徴とする、空気浄化用の浄化装置。
【請求項２】
前記モーターは、前記ファンの上に設けられ、且つ前記ファンに接続されて、前記浄化アセンブリと前記ファンが同期回転するように駆動されることを特徴とする、
請求項１に記載の空気浄化用の浄化装置。
【請求項３】
前記ファンは、前記第１回転ディスクの上方向に設けられ、且つ前記第１回転ディスクに固定して接続されることを特徴とする、
請求項２に記載の空気浄化用の浄化装置。
【請求項４】
前記モーターは、モーター軸を有し、前記浄化アセンブリと前記ファンは、両方とも前記モーター軸に接続されることを特徴とする、
請求項２に記載の空気浄化用の浄化装置。
【請求項５】
前記ファンは、本体およびファンブレードを含み、前記ファンブレードは複数であり、複数の前記ファンブレードは、前記本体の周方向に沿って間隔を置いて分布されることを特徴とする、
請求項１に記載の空気浄化用の浄化装置。
【請求項６】
前記ファンブレードは、前記本体の側壁に設けられ、且つ、前記第１回転ディスクの、前記ハウジングと前記第１回転ドラムの間の部分の上に位置することを特徴とする、
請求項５に記載の空気浄化用の浄化装置。
【請求項７】
前記本体は、円筒形に形成され、前記本体は、前記第１回転ディスクおよび前記第１回転ドラムと同軸に設けられ、前記本体の半径方向のサイズは、前記第１回転ドラムの半径方向のサイズと同じであることを特徴とする、
請求項５に記載の空気浄化用の浄化装置。
【請求項８】
前記第１回転ドラムの上端および下端は、閉鎖構造に形成され、前記第１回転ドラムの底壁には、前記入水管が通過するのに適する開口部が設けられることを特徴とする、
請求項１に記載の空気浄化用の浄化装置。
【請求項９】
前記排気口は、前記吸気口より高く設けられ、前記浄化アセンブリは複数を含み、複数の前記浄化アセンブリは、上下方向に順に重ね合わせることを特徴とする、
請求項１に記載の空気浄化用の浄化装置。
【請求項１０】
さらに、前記浄化アセンブリと前記ファンアセンブリとの間に回転可能に設けられ、第２回転ドラムと第２回転ディスクとを含む、遮断アセンブリを備え、前記第２回転ドラムの外周壁は、円筒面であり、前記第２回転ドラムは、前記ハウジングの側壁から離れて設けられ、前記第２回転ディスクは、前記第２回転ドラムの下流側に接続され、且つ、前記第２回転ディスクは、少なくとも前記第２回転ドラムと前記ハウジングとの間の半径方向の部分に第３メッシュが設けられることを特徴とする、
請求項１に記載の空気浄化用の浄化装置。
【請求項１１】
空気浄化器であって、
請求項１ないし１０のいずれか一項に記載の空気浄化用の浄化装置を備えることを特徴とする、空気浄化器。
【発明の詳細な説明】
【技術分野】
【０００１】
本願は、２０１８年８月３１日に中国特許局に提出された、出願番号が２０１８１１０１３３２８．１である、中国特許出願に基づいて提出されるものであり、当該中国特許出願の優先権を主張し、当該中国特許出願の全ての内容が参照によって本願に組み込まれる。
【０００２】
本願は、ホームデバイス分野に関し、特に、空気浄化用の浄化装置およびそれを備える空気浄化器に関する。
【背景技術】
【０００３】
空気浄化器は、空気を浄化して空気の質を改善するために使用され、関連技術の空気浄化器は、ほとんど浄化装置を使用して直接に空気を浄化し、例えば、浄化ネットまたは吸着装置は、空気中のほこりを浄化および吸着することができるが、構造が複雑であり、浄化効果も悪い。
【発明の概要】
【発明が解決しようとする課題】
【０００４】
本願は、関連技術に存在する技術的課題の少なくとも１つを解決することを目的とする。そのため、本願の１つの目的は、構造が簡単で、浄化効果は良く、且つ圧力損失も低い、空気浄化用の浄化装置を提供することである。
【課題を解決するための手段】
【０００５】
本願は、さらに、空気浄化用の浄化装置を有する、空気浄化器を提供する。
本願の第１態様の実施例による空気浄化用の浄化装置は、吸気口および排気口を有するハウジングであって、ハウジング内に吸気口および排気口と連通するキャビティが規定されている、ハウジングと、キャビティ内に回転可能に設けられ、且つ吸気口と排気口の間に配置される浄化アセンブリであって、浄化アセンブリは第１回転ドラムと第１回転ディスクとを備え、第１回転ドラムは、ハウジングの側壁から離れて設けられ、第１回転ドラムの側壁の周方向に回って第１メッシュが設けられ、第１回転ディスクは、第1回転ドラムの下流側に接続され、且つ、第１回転ディスクの半径方向において、第１回転ドラムとハウジングの間の部分に第２メッシュが設けられる、浄化アセンブリと、入水端と出水端とを含む、入水管であって、入水端に、周方向に分布される複数の噴水孔が設けられ、出水端は、第１回転ドラム内に延在する、入水管と、ファンとモーターとを備える、ファンアセンブリであって、ファンは、浄化アセンブリの下流に設けられて、空気を、吸気口から浄化アセンブリを経由して排気口に流れるように駆動し、モーターは、浄化アセンブリとファンを回転させるために使用される、ファンアセンブリと、を備える。
【０００６】
本願実施例による空気浄化用の浄化装置は、空気に対する高効率浄化を実現でき、浄化効果は良く且つ構造が簡単であり、圧力損失は低い。
【０００７】
さらに、本願実施例による空気浄化用の浄化装置は、以下の付加的技術特徴をさらに有し得る。
【０００８】
本願のいくつかの実施例によれば、モーターは、ファンの上に設けられ、且つ、浄化アセンブリとファンを駆動して同期回転させるために、ファンに接続される。
【０００９】
例示的に、ファンは、第１回転ディスクの上方向に設けられ、且つ、第１回転ディスクに固定して接続される。
【００１０】
例示的に、モーターは、モーター軸を有し、浄化アセンブリとファンは、両方ともモーター軸に接続される。
【００１１】
本願のいくつかの実施例によれば、ファンは、本体とファンブレードを備え、ファンブレードは複数であり、複数のファンブレードは、本体の周方向に沿って間隔を置いて分布される。
【００１２】
例示的に、ファンブレードは、本体の側壁に設けられ、且つ、第１回転ディスクの、ハウジングと第１回転ドラムの間の部分の上に位置する。
【００１３】
例示的に、本体は、円筒形に形成され、本体は、第１回転ディスクおよび第１回転ドラムと同軸に設けられ、本体の半径方向のサイズは、第１回転ドラムの半径方向のサイズと同じである。
【００１４】
本願のいくつかの実施例によれば、第１回転ドラムの上端および下端は、閉鎖構造に形成され、第１回転ドラムの底壁には、入水管が通過するのに適する、開口部が設けられる。
【００１５】
本願のいくつかの実施例によれば、排気口は、吸気口より高く設けられ、浄化アセンブリは複数が含まれ、複数の浄化アセンブリは、上下方向に順に重ね合わせる。
【００１６】
本願のいくつかの実施例によれば、空気浄化用の浄化装置は、さらに、浄化アセンブリとファンアセンブリとの間に回転可能に設けられ、第２回転ドラムと第２回転ディスクとを含む、遮断アセンブリを備え、第２回転ドラムの外周壁は、円筒面であり、第２回転ドラムは、ハウジングの側壁から離れて設けられ、第２回転ディスクは、第２回転ドラムの下流側に接続され、且つ、第２回転ディスクは、少なくとも第２回転ドラムとハウジング間の半径方向の部分に第３メッシュが設けられる。
【００１７】
本願は、さらに、上記の実施例の空気浄化用の浄化装置を有する、空気浄化器を提供する。
【００１８】
本願の第２態様の実施例による空気浄化器は、上記の実施例における空気浄化用の浄化装置を設置することにより、浄化効果を改善することができ、構造は簡単であり、圧力損失も少ない。
【００１９】
本願の付加的態様および利点は、以下の説明において、一部が与えられ、一部は、以下の説明から明らかになり、または本願の実践を通じて学習される。
【図面の簡単な説明】
【００２０】
本願の上記および／または付加的態様および利点は、以下の図面を参照して、実施例を説明することによって明らかになり、理解しやすくなる。
【図１】本願実施例による空気浄化用の浄化装置の例示的な構造図である。
【図２】図１のＡ−Ａに沿った断面図である。
【図３】図１のＢ−Ｂに沿った断面図である。
【図４】本願の一実施例による空気浄化用の浄化装置の浄化アセンブリと入水管の例示的な構造図である。
【図５】本願の別の実施例による空気浄化用の浄化装置の、浄化アセンブリと入水管の例示的な構造図である。
【発明を実施するための形態】
【００２１】
以下、本願実施例を詳細に説明し、前記実施例の例は図面に示され、ここで、全文を通じて同じまたは類似の参照番号は、同じまたは類似の要素、または同じまたは類似の機能を有する要素を示す。図面を参照して説明する以下の実施例は、例示的であり、本願を説明するためにのみ使用され、本願に対する限定として理解することはできない。
【００２２】
以下、図１ないし図５を参照して、本願実施例による空気浄化用の浄化装置１００を説明する。
【００２３】
図１ないし図５に示されるように、本願実施例による空気浄化用の浄化装置１００は、ハウジング１、浄化アセンブリ、入水管４、ファンアセンブリ５を備え、ハウジング１は、吸気口１１および排気口１２を有し、ハウジング１内に、吸気口１１および排気口１２と連通するキャビティ１０が規定されており、これにより、空気は、吸気口１１からハウジング１に入り、次にキャビティ１０を通って浄化された後、排気口１２から排出され得る。
【００２４】
具体的には、浄化アセンブリは、キャビティ１０内に回転可能に設けられ、且つ、吸気口１１と排気口１２との間に配置され、浄化アセンブリは、第１回転ドラム２および第１回転ディスク３を備え、第１回転ドラム２は、ハウジング１の側壁から離れて設けられ、言い換えれば、第１回転ドラム２は、キャビティ１０内で高速で回転することができ、第１回転ドラム２は、キャビティ１０の内壁面から離れて、空気が通過するのに適する、第１間隔スペース２３を形成し、且つ、第１回転ドラム２は、吸気口１１と排気口１２との間に配置され、これにより、吸気口１１から入る空気は、第１間隔スペース２３を通過することができ、即ち、空気の流れの方向（例えば、図３に示される矢印の方向）に、空気は、吸気口１１、第１間隔スペース２３と排気口１２を順に通過できる。
第１回転ドラム２の側壁の周方向に回って、第１メッシュ２１が設けられ、第１回転ディスク３は、第１回転ドラム２の下流側に接続され、図２ないし図５に示されるように、第１回転ディスク３は、第１回転ドラム２の上に回転可能に設けられる。第１回転ディスク３の半径方向において、第１回転ドラム２とハウジング１との間の部分に第２メッシュ３１が設けられ、即ち、第１回転ディスク３の外径サイズは、第１回転ドラム２の外径サイズより大きく、第１回転ディスク３の軸方向において、第１間隔スペース２３に対応する第１回転ディスク３の一部には、複数の第２メッシュ３１が設けられ、空気は、第２メッシュ３１を通って、下流に流れることができる。
【００２５】
空気の流れ方向において、空気が最初に通過する位置が上流であり、後で通過する位置が下流であり、上流および下流は、位置関係を示すためにのみ使用され、下流側は、即ち、構造上に空気が後に流れる位置であり、例えば、第１回転ディスク３は、第１回転ドラム２の下流側に接続されることは、即ち、空気の流れ方向において、第１回転ディスク３は、第１回転ドラム２の、空気が後に流れる側に設けられることであり、例えば、図２ないし図５に示されるように、第１回転ディスク３は、第１回転ドラム２の上側に設けられることに留意されたい。
【００２６】
入水管４は、入水端４１および出水端４２を備え、出水端４２には、複数の周方向に分布される、噴水孔が設けられ、出水端４２は、第１回転ドラム２内に延在する。ここで、入水管４は固定されており、第１回転ドラム２は、入水管４に対して高速で回転し、これにより、水の輸送に役立つ。もちろん、本願は、これに限定されなく、入水管４は、それ自体の軸を中心に回転することもできる。
【００２７】
具体的に、入水管４の入水端４１は、水源と連通され、周方向に分布される、複数の出水端４２の噴水孔を介して、入水管４から第１回転ドラム２内に水を噴霧することができ、第１回転ドラム２は、高速で回転して、第１回転ドラム２内に噴霧された水は、第１回転ドラム２の内壁で液膜に広がり、遠心力によって、液膜は、第１メッシュ２１を通過し且つ剪断力によって、薄い水柱、水滴またはミストの形に細断され、ここで、水を、薄い水柱、水滴またはミストの形に細断することを介して、水と空気の接触面積を増やすことができ、水と空気を充分に混合することに役立ち、さらに、空気中のほこりなどの不純物粒子に対する水の浄化に役立つ。
【００２８】
説明を容易にするために、以下、主に前記薄い水柱、水滴またはミストのうちの水滴を例として説明するが、これを本願に対する限定として理解することはできない。
水滴は、第１間隔スペース２３内に入り、第１間隔スペース２３を通って流れる空気と混合することができ、これにより、水滴の一部は、空気中のほこり粒子を捕獲し、ほこり粒子を運んで遠心運動することができ、ハウジング１の内壁面に向かって投げられて、内壁面に沿って落下されることができ、ここで、水滴の一部は、下流に流れ続け、第１回転ディスク３は、第１間隔スペース２３の下流に設けられ、空気が第１回転ディスク３を通って流れるとき、空気の残留水滴は、第１回転ディスク３に接触し、第１回転ディスク３が高速で回転するため、遠心運動によって、複数の第２メッシュ３１を有する第１回転ディスク３で、水滴は、薄い液膜に広げられるか、またはより小さな水滴に霧化され得、第２メッシュ３１を通過する空気と強く衝突し、これにより、気液接触面積をさらに大きくすると同時に、広げられた薄い液膜またはより小さな水滴は、空気中のほこり粒子に対して、より効率的な捕獲効果があり、さらに、ほこりの除去を強化する目的を達成することができる。また、空気が第１回転ディスク３を通過するとき、第１回転ディスク３の回転も、空気の流れを駆動することができ、第１回転ディスク３を通過する空気に、電力を提供して、浄化後の空気が排気口１２に向かって流れるようにする。
【００２９】
ファンアセンブリ５は、ファン５１およびモーター５２を備え、ファン５１は、浄化アセンブリの下流に設けられて、空気を、吸気口１１から、浄化アセンブリを通って排気口１２に流れるように駆動し、モーター５２は、浄化アセンブリとファン５１が回転させるために使用される。これにより、浄化アセンブリの下流にファン５１を設置することにより、ファン５１は、モーター５２の駆動によって、高速で回転して、空気を、吸気口１１からハウジング１のキャビティ１０内に入り、排気口１２の方向に向かって流れるように駆動し、例えば、ファン５１は、空気を、図３に示される矢印の方向に流れるように駆動することができ、これにより、空気の流れを駆動して、圧力損失を回避できるだけでなく、ファン５１および浄化アセンブリが、同じモーター５２によって駆動され、構造が簡単であり、設置面積は小さく、エネルギー消費量が少ない。
【００３０】
これにより、本願実施例の空気浄化用の浄化装置１００によれば、第１回転ドラム２は、高速で回転して、入水管４から、第１回転ドラム２内に噴霧される水が、第１メッシュ２１によって、水柱、水滴または水ミストの形に細段され、第１間隔スペース２３に流れるようにし、同時に、吸気口１１から入る空気は、第１間隔スペース２３を通して流れ、これにより、第１間隔スペース２３内の水滴は、流れる空気と混合し、水滴は、効率的に第１間隔スペース２３を通って流れる空気中のほこりを捕獲でき、これにより、空気中のほこり粒子などを除去することができ、空気に対する浄化効果を実現する。
ファンアセンブリ５は、浄化アセンブリの下流に設けられ、これにより、ファンアセンブリ５を介して、空気の流れを駆動して、圧力損失を回避できるだけでなく、ファン５１と浄化アセンブリは、同じモーター５２によって駆動されて、浄化装置１００の構造が簡単であり、設置面積が小さく、エネルギ消費量も少なくなる。
【００３１】
例示的に、図１ないし図３に示されるように、モーター５２は、ファン５１の上に設けられ、且つ、ファン５１に接続されて、浄化アセンブリとファン５１を、同期回転するように駆動することができる。これにより、第１回転ドラム２、第１回転ディスク３およびファン５１は、同じモーター５２によって駆動され、同期回転することができ、浄化装置１００の構造を、単純化することができるだけてなく、浄化装置１００の一貫性および安定性も、より良くすることができる。同時に、空気は、浄化アセンブリを介して浄化された後、上に向かって流れ、モーター５２を、ファン５１の上に設置することにより、モーター５２が空気中のほこりによって蓄積されるのを防ぐこともできる。
本願のいくつかの例において、ファン５１は、第１回転ディスク３の上に設けられ、且つ、第１回転ディスク３に固定して接続されることができる。即ち、モーター５２をファン５１の上に設置し、且つ、ファン５１に接続され、これにより、モーター５２は、ファン５１を駆動して回転させ、ファン５１は、第１回転ディスク３に固定して接続され、ファン５１を介して、第１回転ディスク３を回転するように駆動し、第１回転ドラム２を回転するように駆動して、ファン５１と浄化アセンブリの同期回転、簡単な構造および便利な組み立てを実現することができる。
【００３２】
本願の別のいくつかの例において、モーター５２は、モーター軸を有し、浄化アセンブリおよびファン５１は、両方ともモーター軸に接続され、即ち、浄化アセンブリおよびファン５１は、モーター５２のモーター軸とそれぞれ直接に接続することができ、これにより、モーター５２は、浄化アセンブリとファン５１を回転するようにそれぞれ駆動することができ、それにより、浄化アセンブリおよびファン５１の回転速度を保証することができる。
【００３３】
本願のいくつかの実施例において、ファン５１は、本体５１１およびファンブレード５１２を備えることができ、ファンブレード５１２は複数であり、複数のファンブレード５１２は、本体５１１の周方向に沿って間隔を置いて設けられ、ここで、モーター５２は本体５１１に接続され、本体５１１は回転して、複数のファンブレード５１２を回転するように駆動し、複数のファンブレード５１２を設置することにより、ハウジング１内の空気の流れ速度を改善し、さらに、浄化装置１００内の空気の流動性能を改善することができる。
【００３４】
例示的に、ファンブレード５１２は、本体５１１の側壁に設けられ、且つ、ハウジング１と第１回転ディスク３の間の部分に位置する、第１回転ディスク３の上に位置することができ、これにより、ファンブレード５１２は回転して、空気がハウジング１と第１回転ディスク３との間の第１間隔スペース２３で流れるように駆動することができ、ファンブレード５１２は、第１間隔スペース２３の上に配置され、それにより空気がキャビティ１０内で流れるように駆動することに役立ち、キャビティ１０内の空気の流れ速度を保証する。
【００３５】
図１ないし図３に示されるように、本体５１１は、円筒形に形成することができ、本体５１１は、第１回転ディスク３および第１回転ドラム２と同軸に設けられ、本体５１１の半径方向のサイズは、第１回転ドラム２の半径方向のサイズと同じであり、これにより、ファンブレード５１２は、本体５１１の側壁に形成され、且つ、第１間隔スペース２３の上に、完全に設けられることができ、それにより、空気の流れを促進することに役立ち、本体５１１と第１回転ドラム２のサイズの不一致による、空気の流れに対する抵抗の生成を回避することができ、本体５１１と、第１回転ディスク３および第１回転ドラム２のアセンブリの、一貫性および安定性を改善することにも役立つ。ここで、ファン５１は、第１回転ディスク３に支持され得、本体５１１と第１回転ドラム２のサイズは一致であり、ファン５１に対する浄化アセンブリの支持効果および安定性を改善することにも役立つ。
【００３６】
本願のいくつかの実施例において、第１回転ドラム２の上端および下端は、閉鎖構造に形成され、即ち、第１回転ドラム２の上部と下部は、両方とも閉じていることである。それにより、水が第１回転ドラム２から漏れて、他の部品に対して腐食を引き起こすのを防ぐことができ、空気が、第１回転ディスク３を通過せずに、第１回転ドラム２の上部から流出するのを防ぐことができる。図４に示されるように、第１回転ドラム２の底壁には、入水管４が通過するのに適する開口部２２が設けられ、入水管４の出水端４２は、開口部２２を通して、第１回転ドラム２内に延び、ここで、開口部２２のサイズは、入水管４のサイズよりわずかに大きくすることができ、それにより、第１回転ドラム２と入水管４の相対回転に役立ち、入水管４と開口部２２の組み立てに役立つ。
【００３７】
本願のいくつかの実施例において、排気口は、吸気口より高く設けられ、浄化アセンブリは複数備えられる。複数の浄化アセンブリは、上下方向に順に重ね合わせる。即ち、複数の浄化アセンブリは、同軸に設けられ、且つ、すべて排気口１２と吸気口１１との間に配置される。具体的に、第１回転ドラム２と第１回転ディスク３は、複数設置することができ、複数の第１回転ドラム２と第１回転ディスク３３は、交互に順に設置することができ、これにより、空気は、複数の浄化アセンブリを順に通過することができ、空気の多段階浄化を実現して、浄化効果を向上させることができる。ここでの「複数」は、２つまたは２つ以上を示し、例えば、浄化アセンブリは、２つ、３つ、４つまたは５つであり得、複数の浄化アセンブリは、上下方向に順に同軸に設けられることに留意されたい。ここで、モーター５２を介して、同時に複数の浄化アセンブリを駆動して回転させることができ、それにより、浄化装置１００一貫性および安定性をさらに改善することができる。
【００３８】
本願のいくつかの実施例において、空気浄化用浄化アセンブリは、さらに、遮断アセンブリを備えることができ、遮断アセンブリは、浄化アセンブリとファンアセンブリ５との間に回転可能に設けられ、これにより、遮断アセンブリを介して、浄化アセンブリによって浄化された空気に含まれる水滴とほこり粒子を遮断することができ、それにより、空気に対する更なる浄化を実現するだけてなく、モーター５２が、浄化アセンブリによって浄化される空気中の水の浸食、およびほこりの蓄積を回避することができる。ここで、例示的に、モーター５２は、浄化アセンブリ、遮断アセンブリおよびファン５１を、同期回転するように駆動することができる。
【００３９】
具体的に、遮断アセンブリは、第２回転ドラムおよび第２回転ディスクを備え、第２回転ドラムの外周壁は、円筒面であり、即ち、第２回転ドラムの外周壁は、閉じた壁に形成され、第２回転ドラムの内部は、第２回転ドラムの外部と連通されていない。例えば、第２回転ドラムは、気密および水密である構造に形成され得る。第２回転ドラムは、ハウジング１の側壁から離れて設けられ、それにより、空気を、第２回転ドラムとハウジング１との間の、第２間隔スペースを通過させる。
具体的に、第２回転ドラムは、第１回転ディスク３の下流に配置され、第２回転ドラムとハウジング１との間に第２間隔スペースが形成され、第２間隔スペースは、空気の通過に適し、これにより、第１回転ディスク３を介して浄化された後の空気は、第２間隔スペースを通って流れ、高速で回転する第２回転ドラムを通過して、第２間隔スペースを通って流れる空気の遠心運動を強化することができ、それにより、空気に混入した水滴を、ハウジング１の内壁面に向かって投げることに役立ち、さらに、気液の分離に役立ち、浄化効果を向上させる。
【００４０】
第２回転ディスクは、少なくとも第２回転ドラムとハウジング１との間の半径方向の部分に第３メッシュが設けられ、即ち、第２回転ディスクの軸方向に、少なくとも第２間隔スペースに対応する第２回転ディスクの一部に、複数の第３メッシュが設けられ、複数の第３メッシュを介して、空気中の水滴に対するさらなる遮断、および空気に対するさらなる浄化を実現することができる。
第２回転ディスクは、第２回転ドラムの下流側に接続され、第１回転ディスク３を介して浄化された後の空気は、第２回転ディスクに流れ、空気中の小さな水滴が、第２回転ディスクに接触するとき、水滴は、複数の第３メッシュを有する第２回転ディスクで、薄い液膜に広げられるか、またはより小さな水滴に霧化され得、薄い液膜またはより小さく霧化される水滴は、第３メッシュを通した空気と強く衝突し、これにより、気液接触面積をさらに大きくすることができ、同時に、広げられた薄い液膜またはより小さな水滴は、空気中のほこり粒子に対して、より効率的な捕獲効果があり、それにより、ほこりの除去をさらに強化することができる。同時に、第２回転ディスクを介して、空気を駆動して流れ続け、流動性を向上させることもできる。
【００４１】
例示的に、遮断アセンブリは、浄化アセンブリの上に設けられ得、ファン５１は、遮断アセンブリの上に設けられ得、ここで、遮断アセンブリと浄化アセンブリは、それぞれ複数であり得、複数の浄化アセンブリと複数の遮断アセンブリは、上下方向に順に重ね合わせ、ここで、少なくとも１つの遮断アセンブリは、ファン５１の最も近い位置に設けられ、これにより、空気に対する多段階浄化、および空気中の水滴に対する複数の遮断を実現させて、空気の浄化效果を改善し、空気の含水量を低減できるだけでなく、最終段階の遮断アセンブリを通過した後も、空気が必ず上向きに流れ続けることを保証して、水分含有量が最も少ない最も清浄な空気が上向きに流れることを保証し、これにより、モーター５２が、浸食されないことおよびほこり粒子によって蓄積されないことをさらに保証する。
【００４２】
本願は、さらに、上記の実施例における空気浄化用の浄化装置１００を有する空気浄化器を提供する。
【００４３】
本願実施例による空気浄化器は、上記の実施例における空気浄化用の浄化装置１００を設置することを介して、浄化効果を向上させて、空気浄化器によって浄化された空気をより清浄にし、圧力損失を回避することができ、同時に、浄化アセンブリとファン５１は、同じモーター５２によって駆動されて、空気浄化器の構造が簡単になり、エネルギ消費量も少なくなる。
【００４４】
本願実施例による空気浄化器の他の構成および操作は、当業者に対して知られているため、ここでは詳しく説明しない。
【００４５】
本明細書の説明において、参照用語「１つの実施例」、「いくつかの実施例」、「例示的な実施例」、「例」、「具体的な例」、または「いくつかの例」などの説明は、当該実施例または例を参照する説明の具体的な特徴、構造、材料または特性は、本願の少なくとも１つの実施例または例に含まれることを意味する。本明細書において、上記の用語の概略的な表現は、必ずしも同じ実施例または例を指すとは限らない。さらに、説明した具体的な特徴、構造、材料または特性は、任意の１つまたは複数の実施例または例において、適切な方法で組み合わせることができる。
【００４６】
本願実施例を示し、説明したが、当業者は、本願の原理および旨から逸脱しない場合、これらの実施例に対して様々な変更、修正、置換、および変換を行うことができ、本願の範囲は、特許請求の範囲およびそれらの同等物によって定義されることを理解できるだろう。
【符号の説明】
【００４７】
１００  空気浄化用の浄化装置
１  ハウジング
１０  キャビティ
１１  吸気口
１２  排気口
２  第１回転ドラム
２１  第１メッシュ
２２  開口部
２３  第１間隔スペース
３  第１回転ディスク
３１  第２メッシュ
４  入水管
４１  入水端
４２  出水端
５  ファンアセンブリ
５１  ファン
５１１  本体
５１２  ファンブレード
５２  モーター
【図１】
2021529930.tif 000003
【図２】
2021529930.tif 000004
【図３】
2021529930.tif 000005
【図４】
2021529930.tif 000006
【図５】
2021529930.tif 000007
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
空気浄化用の浄化装置であって、
吸気口および排気口を有するハウジングであって、前記ハウジング内に前記吸気口および前記排気口と連通するキャビティが規定されている、ハウジングと、
前記キャビティ内に回転可能に設けられ、且つ前記吸気口と前記排気口の間に配置される浄化アセンブリであって、前記浄化アセンブリは第１回転ドラムと第１回転ディスクとを備え、前記第１回転ドラムは、前記ハウジングの側壁から離れて設けられ、前記第１回転ドラムの側壁の周方向に回って第１メッシュが設けられ、前記第１回転ディスクは、前記第1回転ドラムの下流側に接続され、且つ、前記第１回転ディスクの半径方向において、前記第１回転ドラムと前記ハウジングの間の部分に第２メッシュが設けられる、浄化アセンブリと、
入水端と出水端とを含む入水管であって、前記入水端に、周方向に分布される複数の噴水孔が設けられ、前記出水端は、前記第１回転ドラム内に延在する、入水管と、
ファンとモーターとを備えるファンアセンブリであって、前記ファンは、前記浄化アセンブリの下流に設けられて、空気を、前記吸気口から、前記浄化アセンブリを経由して前記排気口に流れるように駆動し、前記モーターは、前記浄化アセンブリと前記ファンを回転させるために使用される、ファンアセンブリと、を備えることを特徴とする、空気浄化用の浄化装置。
【請求項２】
前記モーターは、前記ファンの上に設けられ、且つ前記ファンに接続されて、前記浄化アセンブリと前記ファンが同期回転するように駆動されることを特徴とする、
請求項１に記載の空気浄化用の浄化装置。
【請求項３】
前記ファンは、前記第１回転ディスクの上方向に設けられ、且つ前記第１回転ディスクに固定して接続されることを特徴とする、
請求項２に記載の空気浄化用の浄化装置。
【請求項４】
前記モーターは、モーター軸を有し、前記浄化アセンブリと前記ファンは、両方とも前記モーター軸に接続されることを特徴とする、
請求項２に記載の空気浄化用の浄化装置。
【請求項５】
前記ファンは、本体およびファンブレードを含み、前記ファンブレードは複数であり、複数の前記ファンブレードは、前記本体の周方向に沿って間隔を置いて分布されることを特徴とする、
請求項１に記載の空気浄化用の浄化装置。
【請求項６】
前記ファンブレードは、前記本体の側壁に設けられ、且つ、前記第１回転ディスクの、前記ハウジングと前記本体の間の部分の上に位置することを特徴とする、
請求項５に記載の空気浄化用の浄化装置。
【請求項７】
前記本体は、円筒形に形成され、前記本体は、前記第１回転ディスクおよび前記第１回転ドラムと同軸に設けられ、前記本体の半径方向のサイズは、前記第１回転ドラムの半径方向のサイズと同じであることを特徴とする、
請求項５に記載の空気浄化用の浄化装置。
【請求項８】
前記第１回転ドラムの上端および下端は、閉鎖構造に形成され、前記第１回転ドラムの底壁には、前記入水管が通過するのに適する開口部が設けられることを特徴とする、
請求項１に記載の空気浄化用の浄化装置。
【請求項９】
前記排気口は、前記吸気口より高く設けられ、前記浄化アセンブリは複数を含み、複数の前記浄化アセンブリは、上下方向に順に重ね合わせることを特徴とする、
請求項１に記載の空気浄化用の浄化装置。
【請求項１０】
さらに、前記浄化アセンブリと前記ファンアセンブリとの間に回転可能に設けられ、第２回転ドラムと第２回転ディスクとを含む、遮断アセンブリを備え、前記第２回転ドラムの外周壁は、円筒面であり、前記第２回転ドラムは、前記ハウジングの側壁から離れて設けられ、前記第２回転ディスクは、前記第２回転ドラムの下流側に接続され、且つ、前記第２回転ディスクは、少なくとも前記第２回転ドラムと前記ハウジングとの間の半径方向の部分に第３メッシュが設けられることを特徴とする、
請求項１に記載の空気浄化用の浄化装置。
【請求項１１】
空気浄化器であって、
請求項１ないし１０のいずれか一項に記載の空気浄化用の浄化装置を備えることを特徴とする、空気浄化器。
【手続補正２】
【補正対象書類名】明細書
【補正対象項目名】００１２
【補正方法】変更
【補正の内容】
【００１２】
例示的に、ファンブレードは、本体の側壁に設けられ、且つ、第１回転ディスクの、ハウジングと本体の間の部分の上に位置する。
【手続補正３】
【補正対象書類名】明細書
【補正対象項目名】００３４
【補正方法】変更
【補正の内容】
【００３４】
例示的に、ファンブレード５１２は、本体５１１の側壁に設けられ、且つ、ハウジング１と本体５１１の間の部分に位置する、第１回転ディスク３の上に位置することができ、これにより、ファンブレード５１２は回転して、空気がハウジング１と第１回転ディスク３との間の第１間隔スペース２３で流れるように駆動することができ、ファンブレード５１２は、第１間隔スペース２３の上に配置され、それにより空気がキャビティ１０内で流れるように駆動することに役立ち、キャビティ１０内の空気の流れ速度を保証する。
【国際調査報告】
2021529930.tif 000008
2021529930.tif 000009
2021529930.tif 000010
2021529930.tif 000011
2021529930.tif 000012